(57)【要約】【課題】イオン交換樹脂又はキレート樹脂を用いてシアン地下水のような有機物を含む原水を吸着処理する場合に、樹脂寿命を長く安定に保持し、樹脂の吸着効率を増大させて、前処理における過剰処理を防ぐことのできる、有効且つ経済的な方法を提供する。【解決手段】本発明は、シアンを含有する被処理水をイオン交換樹脂又はキレート樹脂に接触させて全シアンを除去する処理の前処理として、被処理水のＴＯＣと全シアンの比を重量比で５以下、及び／又は、被処理水のＴＯＣを１０ｍｇ／Ｌ以下にする処理を行うことを特徴とする、シアンを含有する汚染水を処理する方法に関する。【選択図】  図４
2004330134.tif 000002
【特許請求の範囲】
【請求項１】
シアンを含有する被処理水を、イオン交換樹脂又はキレート樹脂に接触させて被処理水中の全シアンを除去する処理の前処理として、被処理水中のＴＯＣと全シアンの比を重量比で５以下、及び／又は、被処理水のＴＯＣ濃度を１０ｍｇ／Ｌ以下にする処理を行うことを特徴とする、シアンを含有する汚染水を処理する方法。
【請求項２】
キレート樹脂による処理の前処理として、被処理水をイオン交換樹脂によって処理して被処理水中の塩化物イオン及び硫酸イオンを除去することを特徴とする請求項１に記載の方法。
【請求項３】
キレート樹脂がポリアミン型樹脂である請求項１又は２に記載の方法。
【請求項４】
被処理水中の夾雑物質を除去するための手段；及び、夾雑物質が除去された被処理水を、イオン交換樹脂又はキレート樹脂で処理して全シアンを除去するための手段；を具備し、更に、被処理水のＴＯＣ濃度及び全シアン濃度（ＣＮ）を測定するための手段；及び、測定された被処理水中のＴＯＣと全シアンとの比（ＴＯＣ／ＣＮ）及び／又はＴＯＣ濃度に基づいて被処理水中の夾雑物質を除去する際の条件を制御する手段；を具備することを特徴とする、シアンを含有する汚染水を処理するための装置。
【請求項５】
被処理水をキレート樹脂で処理して全シアンを除去する手段の前処理手段として、被処理水をイオン交換樹脂によってイオン交換処理して、被処理水中の塩化物イオン及び硫酸イオンを除去するための手段；を具備することを特徴とする請求項４に記載の装置。
【請求項６】
測定された被処理水のＴＯＣ／ＣＮが５以下であるか、及び／又は、ＴＯＣ濃度が１０ｍｇ／Ｌ以下である場合に、被処理水を、ＴＯＣ／油分／ＳＳ除去手段を通さずに、直接、イオン交換樹脂による塩化物イオン及び硫酸イオンの除去手段、或いは、イオン交換樹脂又はキレート樹脂樹脂による全シアン除去手段に供給するための切替え装置を更に具備することを特徴とする請求項４又は５に記載の装置。
【請求項７】
キレート樹脂がポリアミン型樹脂である請求項４〜６のいずれかに記載の装置。
【発明の詳細な説明】
【０００１】
【発明の属する技術分野】
本発明は、シアンで汚染された廃水、地下水などの汚染水を処理する方法及びそのための装置に関する。より詳しくは、本発明は、シアン汚染水を、イオン交換樹脂又はキレート樹脂、例えばポリアミン型樹脂を用いて、全シアンの地下浸透基準（全シアンとして検出されないこと、検出検定基準０．１ｍｇ／Ｌ）を満たすように処理するための方法及び装置に関する。
【０００２】
【従来の技術】
ガス製造工場、メッキ工場、石油プラント、化学プラントなどにおいて発生するシアン化合物を含有する廃水（シアン廃水）は、シアン化合物が強く毒性を有するため、全シアンを排水基準（１ｍｇ／Ｌ）未満に処理して排出することが義務づけられている。
【０００３】
シアン廃水の処理方法としては、アルカリ塩素法、オゾン酸化法、電解酸化法、難溶性錯化合物沈殿法、吸着法、生物的処理法などが一般的に広く知られ、実用化されている（非特許文献１、非特許文献２）。いずれの処理方法を実施するかは、廃水中のシアン化合物の結合状態によって選択される。遊離シアンや、亜鉛、銅、カドミウム等の易解離性シアノ錯体が処理対象となる場合には、アルカリ塩素法や電解酸化法の適用が可能である。また、オゾン酸化法では、遊離シアン及び易解離性シアノ錯体に加えて、ニッケルの錯体の処理が可能であるが、鉄や金、銀等の化学的に安定な構造を有する難解離性シアノ錯体に対しては適用できない。これらの難解離性シアノ錯体が処理対象となる場合には、難溶性錯化合物沈殿法や吸着法が用いられている。また、ガス製造工場等から排出されるガス液（安水）の有価物質回収後の排水を対象とする場合には、シアンの他にフェノール等の有機物が多く含まれるため、好気性微生物処理である活性汚泥法が適用されている。
【０００４】
シアン廃水を処理する場合には、上記に説明したように、処理対象となるシアンの結合形態に合わせて上記のいずれかの処理方法を適用すれば処理が可能である。しかしながら、法規制以前の埋立てや配管設備の損傷等により、土壌環境中にシアン含有廃棄物及びシアン廃水が漏洩し、地下水がシアンによって汚染された場合には、上記の処理方法で地下水を処理して全シアンの排水基準１ｍｇ／Ｌ未満にすることが困難な場合が多い。また、地下水文環境の維持のために、揚水して浄化処理を施した地下水を地下に戻す場合には、排水基準よりも更に低濃度である地下浸透基準（全シアンとして検出されないこと、検出検定基準０．１ｍｇ／Ｌ）を達成する必要があり、従来技術の方法では更に困難である。
【０００５】
例えば、ガス製造工場などのように石炭及び石油関連施設に由来するシアン化合物を含有する地下水（シアン地下水）の場合、本発明者らが実験したところによると難解離性のシアノ錯塩が多く存在するため、遊離シアン及び易解離性シアノ錯体を対象とするアルカリ塩素法、オゾン酸化法は適用できない。また、電解酸化法は、数千ｍｇ／Ｌ以上の濃厚シアン廃水が対象となるので、数〜数十ｍｇ／Ｌ程度の汚染濃度が主であるシアン地下水の処理には不適当である。
【０００６】
また、難解離性シアノ錯体を対象とする難溶性錯化合物沈殿法は、鉄塩の他に、銅、亜鉛、マンガン等の重金属塩を用いて不溶性のシアン錯塩を生成させて分離除去する方法であるが、生成錯塩の溶解度以下にシアン濃度を低減させることはできない。一般に、難溶性錯化合物沈殿法では、数ｍｇ／Ｌが処理限界とされており（非特許文献３）、上述の地下浸透基準を達成することは困難である。更に活性汚泥法は、フェノール等の有機物と併せて低濃度のシアンを分解することが可能であるが、微生物の馴到や煩雑なメンテナンス、広い設備面積などが必要となる。汚染地下水を処理する場合には、通常、処理期間は数ヶ月から長くても数年程度と短期間であり、また稼働中の工場敷地内に設置することが考えられ、設置及び撤去、メンテナンスが容易で、設置面積が小さい設備が望まれるため、活性汚泥法は地下水が対象となる場合には適していない。
【０００７】
上記の各種処理法と比較して、吸着法は、イオン交換樹脂又はキレート樹脂によって除去対象のイオンを吸着除去するもので、被吸着体に応じて樹脂を選択することで、遊離シアンから難解離性のシアノ錯イオンまで適用することが可能である。しかしながら、イオン交換樹脂又はキレート樹脂を用いたシアン廃水処理の場合、水中の有機物等の夾雑物質によって樹脂の処理効果が低下するという問題点が指摘されている（非特許文献４）。この現象は、本発明者らの実験によっても確認された。また、非特許文献５には、有機物を多く含む原水を樹脂によって吸着処理する場合には、活性炭等による前処理で有機物を除去するように推奨されているが、どの程度まで除去すれば樹脂による処理に支障を来さなくなるのか言及されておらず、前処理をどの程度まで行うかの判断が極めて難しい。
【０００８】
【非特許文献１】
四訂・公害防止の技術と法規−水質編、社団法人産業環境管理協会、平成６年発行、２５７〜２６７頁
【非特許文献２】
事業場排水指導指針、社団法人日本下水道協会、平成９年発行、３０７〜３２６頁
【非特許文献３】
工業廃水とその処理、技報堂、昭和４５年発行、４３８〜４４３頁
【非特許文献４】
シアン化合物の分析と処理方法、工業用水、日本工業用水協会発行、４９７号（平成１２年）、２２〜２８頁
【非特許文献５】
ダイヤイオン・イオン交換樹脂合成吸着材マニュアル、三菱化学テクニカルサービスシリーズ、Ｉ基礎編、平成８年発行、７８〜５０頁
【０００９】
【発明が解決しようとする課題】
本発明は、イオン交換樹脂又はキレート樹脂を用いてシアン地下水のような有機物を含む原水を吸着処理する場合に、樹脂寿命を長く安定に保持し、樹脂の吸着効率を増大させて、前処理における過剰処理を防ぐことのできる、有効且つ経済的な方法を提供することを目的とする。
【００１０】
【課題を解決するための手段】
上記目的を達成するために、本発明者らは鋭意研究を重ねた結果、シアン地下水のような有機物を含む原水の吸着処理にあたって、イオン交換樹脂又はキレート樹脂によるシアン除去効率と、原水中の夾雑物質及びシアンの濃度、特に原水のＴＯＣ（全有機体炭素）濃度、及び／又は、原水中のＴＯＣと全シアン（ＣＮ）との比（ＴＯＣ／ＣＮ）との間に相関関係があることを見出し、かかる相関関係に基づいてイオン交換樹脂又はキレート樹脂への最適の流入水質条件を明らかにし、本発明を完成するに到った。
【００１１】
即ち、本発明は、シアンを含有する汚染水をイオン交換樹脂又はキレート樹脂に接触させて全シアンを除去する処理の前処理として、被処理水のＴＯＣと全シアンの比（ＴＯＣ／ＣＮ）を重量比で５以下、及び／又は、被処理水のＴＯＣ濃度を１０ｍｇ／Ｌ以下にする処理を行うことを特徴とする、シアンを含有する汚染水を処理する方法に関する。
【００１２】
【発明の実施の形態】
以下、本発明をより詳細に説明するが、以下の説明は、本発明の幾つかの形態を説明するものであり、本発明はこれらの記載に限定されるものではない。
【００１３】
本発明にかかる方法は、上述のように、シアンを含有する地下水等の汚染水をイオン交換樹脂又はキレート樹脂と接触させて全シアンを除去するにあたって、前処理として、被処理水中のＳＳ、油分、ＴＯＣなどの夾雑物を除去するというものである。例えば、揚水したシアンを含む地下水（シアン地下水）は、フェノール等の汚染源由来の油分や、土壌由来の土粒子及び腐植成分などを多く含むため、樹脂によるシアンの除去効率を効率的に行うためには、被処理水に前処理を施して、ＳＳ、油分、ＴＯＣなどの夾雑物質を除去することが必要である。本発明者らの研究により、樹脂によるシアンの除去効率を良好にするために最適な前処理水質の指標として、前処理水質を、ＴＯＣと全シアンの比（ＴＯＣ／ＣＮ）を重量比で５以下、及び／又は、ＴＯＣ濃度を１０ｍｇ／Ｌ以下とすることにより、樹脂のシアン吸着理論値から計算した理論量の３倍当量の樹脂を用いて、地下浸透基準以下に全シアンを除去することができることが見出された。
【００１４】
被処理水のＳＳ、油分、ＴＯＣなどの夾雑物質を上述の前処理水質まで除去するための方法としては、各種被処理水中のＳＳ、油分、ＴＯＣなどを除去するために当該技術において一般的に用いられる各種の方法を適用することができる。例えば、無機凝集剤や有機凝集剤を用いた凝集分離、沈降分離、砂等を濾材として用いる濾過、膜分離、活性炭を用いた吸着処理などを具体例として挙げることができる。また、特に油分が多い地下水の場合には、浮上分離法や油吸着剤を利用する方法も有効である。
【００１５】
被処理水の前処理を行う際には、イオン交換樹脂又はキレート樹脂による処理において樹脂を有効且つ経済的に利用するために最低限必要となる上記の前処理水質になるべく一致させるように前処理条件を設定することが望ましい。従って、被処理水のＴＯＣ濃度及び全シアン濃度を測定し、得られたＴＯＣ濃度及び／又はＴＯＣ／ＣＮの値に応じて、これらの値を上記の既定値にするべく、適当な条件で夾雑物質の除去処理を行うことが好ましい。このような夾雑物質除去処理の適当な条件を設定するための方法としては、例えば凝集分離処理においては、薬剤注入量を制御したり、粉末活性炭を用いて水質を制御することなど、当該技術において公知の方法を採用することができる。また、測定されたＴＯＣ濃度及び／又はＴＯＣ／ＣＮに応じて、どのような夾雑物質除去処理条件を採用するかは、当業者が実験等によって経験的に決定することができる。
【００１６】
本発明において、全シアンの除去の目的で使用することのできる樹脂としては、イオン交換樹脂又はキレート樹脂を挙げることができる。この目的で用いることのできるイオン交換樹脂としては、三菱化成製のＤＩＡＩＯＮ  ＷＡ２０、オルガノ製のアンバーライトＩＲＡ９６、ＩＲＡ６７などの弱塩基性陰イオン交換樹脂を挙げることができる。また、キレート樹脂としては、ポリアミン型樹脂、例えば、ミヨシ油脂製のエポラスＫ−６、Ｋ−７０などを挙げることができる。
【００１７】
なお、ガス製造工場などのような石炭・石油関連施設は、沿岸部に設置されることが多く、しかも施設内において硫酸等を使用することから、地下水中に硫酸イオン（ＳＯ４２−）及び塩化物イオン（Ｃｌ−）を高濃度に含む場合がある。このような場合には、キレート樹脂に対して、全シアンと硫酸イオン及び塩化物イオンとが競合を起こさないように、前処理としてイオン交換樹脂による処理を加えて競合イオンを除去することにより、イオン交換樹脂より一般に高価なキレート樹脂の樹脂寿命を延ばすことが可能となる。かかる目的で用いることのできるイオン交換樹脂としては、オルガノ製のアンバーライトＩＲＡ４１０（ＯＨ形）、ＩＲＡ４００（ＯＨ形）、三菱化成製のＤＩＡＩＯＮ  ＳＡ１０（ＯＨ形）などの強塩基性陰イオン交換樹脂を挙げることができる。
【００１８】
地下水は、揚水地点や天候、揚水時期によってＳＳや油分、ＴＯＣ等の夾雑物質濃度が変動する可能性がある。このため、本発明によってシアン地下水を処理する場合には、処理対象である揚水地下水の水質を逐次モニタリングして、その水質に応じて適切な前処理を施すことが好ましい。このような操作によって、現場における樹脂性能を有効に利用した経済的な全シアン処理が可能となる。
【００１９】
図４に、本発明を利用したシアン地下水の処理設備の構成例を示す。処理地域の数カ所に設置された揚水井戸１〜３から揚水された地下水は、水質測定機器４〜６によりＴＯＣ、全シアン（ＣＮ）が測定される。図４には水質測定機器を各揚水井戸にそれぞれ設置する形態が示されているが、流路切替によって多数の揚水地下水の水質を１台の水質測定機器で測定することもできる。シアンを含んだ汚染地下水（シアン地下水）は、基本的には、原水槽７に受容された後、凝集沈殿槽８、活性炭吸着塔９、シアンの吸着除去を行う樹脂吸着塔１０の順に処理され、最終的に下水排出若しくは地下浸透される。この際、凝集沈殿槽８及び活性炭吸着塔９における処理条件は、水質測定機器によって測定された原水のＴＯＣ／ＣＮ及びＴＯＣ濃度の値に応じて変化させることができる。これによって、原水の水質に応じて、ＴＯＣ／ＣＮを５以下、及び／又は、ＴＯＣを１０ｍｇ／Ｌ以下に調整するための適当且つ十分な前処理が行われる。原水のこれらの測定された水質値によって凝集沈殿槽８及び活性炭吸着塔９における処理条件をどのように変化させるかについては、当業者が経験によって決定することができる。また、水質測定機器４〜６で原水の水質を測定して、ＴＯＣ／ＣＮが５以下、若しくはＴＯＣが１０ｍｇ／Ｌ以下である場合には、バルブ１１〜１３を操作して、凝集沈殿及び活性炭処理を行わずに直接樹脂吸着塔１０に原水を供給してもよい。地下水は、天候や揚水開始からの期間等によって水質が変動するため、揚水時の地下水水質を確認しながら前処理工程を制御若しくはバイパスすることによって、不必要な前処理工程を省略することができ、シアン除去効果を損なうことなく経済的に効率のよい処理工程を選択することが可能となる。
【００２０】
また、本発明にかかる装置においては、樹脂吸着塔１０の前段として、被処理水中の塩化物イオンや硫酸イオンを除去するための、イオン交換樹脂を充填したイオン交換塔を配置することができる。
【００２１】
本発明は、このようなシアンを含む被処理水を処理する装置にも関する。即ち、本発明の他の態様は、被処理水中の夾雑物質を除去するための手段；及び、夾雑物質が除去された被処理水を、イオン交換樹脂又はキレート樹脂で処理して全シアンを除去するための手段；を具備し、更に、被処理水のＴＯＣ濃度及び全シアン濃度（ＣＮ）を測定するための手段；及び、測定された被処理水中のＴＯＣと全シアンとの比（ＴＯＣ／ＣＮ）及び／又はＴＯＣ濃度に基づいて被処理水中の夾雑物質を除去する際の条件を制御する手段；を具備することを特徴とする、シアンを含有する汚染水を処理するための装置に関する。また本発明の他の態様は、被処理水をキレート樹脂で処理して全シアンを除去するための手段の前段として、被処理水をイオン交換樹脂によって処理して、被処理水中の塩化物イオン及び硫酸イオンを除去するための手段；を具備することを特徴とする上記記載の装置にも関する。更には、本発明の他の態様は、測定された被処理水のＴＯＣ／ＣＮが５以下であるか、及び／又は、ＴＯＣ濃度が１０ｍｇ／Ｌ以下である場合に、被処理水を、ＴＯＣ／油分／ＳＳ除去手段を通さずに、直接、イオン交換樹脂による塩化物イオン及び硫酸イオンの除去手段、或いは、イオン交換樹脂又はキレート樹脂による全シアン除去手段に供給するための切替え装置を更に具備することを特徴とする上記記載の装置にも関する。
【００２２】
【実施例】
以下の実施例により、本発明を更に具体的に説明するが、本発明は以下の記載によって限定されるものではない。
【００２３】
実施例１
従来法と本発明方法の処理効果の比較
ガス製造工場敷地内の地下水を処理対象として、アルカリ塩素法、オゾン酸化法、難溶性錯化合物沈殿法（錯塩法）、前処理を施さない樹脂法、並びに前処理を施した樹脂法のそれぞれによって処理を行い、全シアンの除去を行った。
【００２４】
原水には３．７ｍｇ／Ｌの全シアンが含まれていた。アルカリ塩素法においては、ｐＨ１１のアルカリ条件下で次亜塩素酸ナトリウムを添加して１０分撹拌し、次いでｐＨ７で再度次亜塩素酸ナトリウムを添加して３０分撹拌した。次亜塩素酸ナトリウムは、全シアン除去に必要な塩素理論量の５０倍量を総量として添加した。オゾン酸化法では、ｐＨ１１に調整した試料に、全シアン除去に必要なオゾン理論量の６倍量のオゾンを注入し、１時間振盪撹拌した。難溶性錯化合物沈殿法（錯塩法）では、ｐＨ５で原水に硫酸第一鉄を理論量の１１０倍量添加して３０分撹拌して反応させた。しかしながら、いずれの従来法によっても、地下浸透基準（全シアンが＜０．１ｍｇ／Ｌ）を達成することはできなかった。
【００２５】
一方、前処理を施さない樹脂法では、ポリアミン型樹脂（ミヨシ油脂製、商品名エポラスＫ−７０）を理論量（製品のカタログに記載された総吸着量より算出）の５倍量又は１０倍量、ｐＨ６に調整した原水に添加して、２０℃、１４０ｒｐｍの条件下で２４時間振盪撹拌することによって回分式吸着処理を行ったところ、５倍量の添加では０．３ｍｇ／Ｌの全シアンが残存したが、１０倍量の樹脂添加では、全シアン濃度が＜０．１ｍｇ／Ｌとなり、地下浸透基準を達成した。また、原水に塩化第二鉄７５ｍｇ／Ｌとアニオンポリマー（荏原製作所製、商品名Ａ１５１）１ｍｇ／Ｌを添加して凝集沈殿を行い、これを５Ａ濾紙で濾過し、濾液に活性炭（荏原製作所製、商品名エバダイヤＬＧ−２０Ｓ）を２００ｍｇ／Ｌ添加して、２０℃で２時間撹拌することによって前処理を施して、ＴＯＣと全シアンの比（ＴＯＣ／ＣＮ）を重量比で５に調整し、これに上記と同じポリアミン型樹脂を添加して処理を行ったところ、理論量の３倍量の樹脂添加で地下浸透基準を達成した。
【００２６】
実験結果を下表１及び図１に示す。
【００２７】
【表１】
2004330134.tif 000003
【００２８】
実施例２：全シアン除去処理効率に対する流入水性状の影響
ガス製造工場敷地内の地下水を処理対象として、全シアン濃度及びＴＯＣを測定した後、実施例１と同様の手順で凝集沈殿法及び活性炭吸着処理によって被処理水の前処理を行なって、残留溶解性ＴＯＣ量を段階的に調整した。前処理後の被処理水の全シアン濃度を測定した後、実施例１と同様にポリアミン型樹脂を被処理水に段階的に添加して回分式吸着試験を行ない、処理水の全シアンを測定して、全シアン濃度が地下浸透基準を達成するのに必要な樹脂の最小使用量を求めた。結果を表２に示す。表２において、「必要樹脂量」は、全シアン濃度に関する地下浸透基準（０．１ｍｇ／Ｌ以下）を達成するために必要な最低限の樹脂量を、被処理水中の全シアンを除去するのに必要な樹脂の理論量の何倍の量であったかという単位で示すものである。また、全シアン処理効果（必要樹脂量）と、流入水（前処理後の被処理水）の溶解性ＴＯＣと全シアンとの比（ＴＯＣ／ＣＮ）との関係を図２に、全シアン処理効果（必要樹脂量）と、流入水のＴＯＣとの関係を図３に示す。
【００２９】
【表２】
2004330134.tif 000004
【００３０】
図２より、流入水のＴＯＣと全シアンとの比（ＴＯＣ／ＣＮ）を５以下に調整することで、全シアン除去のための理論量の３倍量以下の樹脂量で、全シアンの地下浸透基準を達成することができることが分かった。しかしながら、ＴＯＣ／ＣＮが５以上になると、処理に必要となる樹脂量が増加し、ＴＯＣ／ＣＮが１１では理論量の９倍量まで必要となった。以上の結果から、樹脂の必要添加量が少なく、樹脂必要量の変動が小さいＴＯＣ／ＣＮが５以下の範囲が、ポリアミン型樹脂による被処理水の全シアン除去処理に最適の条件であることが分かった。
【００３１】
また、図３より、流入水のＴＯＣを１０ｍｇ／Ｌ以下に調整することで、全シアン除去のための理論量の３倍量以下の樹脂量で、全シアンの地下浸透基準を達成することができることが分かった。しかしながら、ＴＯＣが１０ｍｇ／Ｌを超えると処理効率が悪くなり、ＴＯＣが３０ｍｇ／Ｌでは理論量の１０倍量の樹脂が必要であった。以上の結果から、樹脂の必要添加量が少なく、樹脂必要量の変動が小さいＴＯＣが１０ｍｇ／Ｌ以下の範囲が、ポリアミン型樹脂による被処理水の全シアン除去処理に最適の条件であることが分かった。
【００３２】
実施例３：全シアン除去処理に対するイオン交換前処理の効果
シアン地下水をポリアミン型樹脂によって処理する際に、その前段階としてイオン交換樹脂による前処理を行った。イオン交換樹脂（オルガノ製のアンバーライトＩＲＡ４１０（ＯＨ形））を充填したカラムと、実施例１で用いたものと同じポリアミン型樹脂を充填したカラムとを直列に接続した。実施例１と同様の前処理操作によってＴＯＣと全シアンの重量比（ＴＯＣ／ＣＮ）を５以下に調整した高塩類濃度のガス製造工場地下水を、上記の２段カラムのイオン交換樹脂カラム側から通水し、ポリアミン型樹脂カラムから処理水を取出した。原水は、シアン濃度４．２ｍｇ／Ｌであり、また、硫酸イオン４００ｍｇ／Ｌ、塩化物イオン１００ｍｇ／Ｌを含んでいた。通液速度はポリアミン型樹脂に対してＳＶ１０とした。処理水の全シアン濃度を測定した。結果を表３に示す。
【００３３】
【表３】
2004330134.tif 000005
【００３４】
表３より、イオン交換樹脂による前処理によって被処理水中の硫酸イオン及び塩化物イオンを除去した場合には、前処理を行わない場合と比較して、５倍量の被処理水を地下浸透基準を満足するまで処理することができたことが分かる。
【００３５】
【発明の効果】
本発明によれば、イオン交換樹脂又はキレート樹脂を用いてシアン地下水のような有機物を含む原水を吸着処理する際に、樹脂吸着のための最適な被処理水条件を達成することで、樹脂寿命を長く安定に保持し、樹脂の吸着効率を増大させると共に、前処理における過剰処理を防ぐことができる。
【図面の簡単な説明】
【図１】図１は、従来法と本発明方法の処理効果の比較を示すグラフである。
【図２】図２は、実施例２における全シアン処理効果に対する流入水の溶解性ＴＯＣと全シアンの比（ＴＯＣ／ＣＮ）の影響を示すグラフである。
【図３】図３は、実施例２における全シアン処理効果に対する流入水の溶解性ＴＯＣ濃度の影響を示すグラフである。
【図４】図４は、本発明を利用したシアン地下水の処理設備の構成例を示す概念図である。
【図１】
2004330134.tif 000006
【図２】
2004330134.tif 000007
【図３】
2004330134.tif 000008
【図４】
2004330134.tif 000009